(57)【要約】      （修正有）【課題】絵の具類入チューブを縦状に上方から収納可能に構成された仕切板とパレットを縦長に収納できるパレット仕切板を内部に設けると共に他の絵の道具類の収納部を個別に構成することで絵の道具類の持ち運びと簡潔な取り扱いが容易に成るように絵の道具類がコンパクトに整理、整頓される絵の具箱の提供。【解決手段】絵の具箱は、内部に封入された絵の具類の色彩を表面に表示して成る絵の具類入チューブを縦状に収納可能に構成する複数の絵の具類入チューブ仕切板を箱内の一長片面側に設けて絵の具類入チューブの収納部を形成すると共に、箱内の反対の長片面側にパレットを縦長方向に収納可能に構成するパレット仕切板を設けてパレットの収納部を形成して、両仕切板の間に他の絵の道具類を収納可能な空隙を設けて絵の道具類の収納部を形成することで所望の絵の具類入チューブとパレット及び他の絵の道具類を箱の上部から出し入れ可能に構成している。【選択図】図２
0003139141.tif 000002
【実用新案登録請求の範囲】
【請求項１】
内部に封入された絵の具類の色彩を表面に表示して成る絵の具類入チューブを縦状に収納可能な構成の複数の絵の具類入チューブ仕切板を箱内の一長片面側に設けて絵の具類入チューブの収納部を形成すると共に、箱内の反対の長片面側にパレットを縦長方向に収納可能な構成のパレット仕切板を設けてパレットの収納部を形成し、両仕切板の間に他の絵の道具類を収納可能な空隙を設けて絵の道具類の収納部を形成することで所望の絵の具類入チューブとパレット及び他の絵の道具類を箱の上部から出し入れ可能に構成することを特徴とする絵の具箱。
【請求項２】
絵の具類入チューブの収納部を構成している絵の具類入チューブ仕切り版を内部に封入された絵の具類の封入量が異なる複数の絵の具類入チューブ群を収納可能に異形に構成することを特徴とする請求項1に記載の絵の具箱。
【請求項３】
絵の具類入チューブの収納部を構成している絵の具類入チューブ仕切り版を透明に構成することを特徴とする請求項1、２に記載の絵の具箱。
【請求項４】
絵の具類入チューブの収納部を構成している絵の具類入チューブ仕切り版を絵の具類入チューブの表面に表示されている内部に封入された絵の具類の色彩の位置より低く構成することを特徴とする請求項1〜３に記載の絵の具箱。
【請求項５】
パレットの収納部を構成しているパレット仕切板を箱から取り外し可能に構成することを特徴とする請求項1〜４に記載の絵の具箱。
【考案の詳細な説明】
【技術分野】
【０００１】
本考案は、絵の具類入チューブの色の識別や出し入れを容易にして絵の具類入チューブや他の絵の道具類の収納を簡便にすることで効率良く持ち歩ける絵の具箱に関する。
【背景技術】
【０００２】
油絵の具、アクリル絵の具、アキーラ絵の具及び水彩絵の具等の絵の具類を用いて絵を描くには、基本色の２０〜４０本程度の絵の具類に満足せずに多くの絵の具類を買い足しながらアトリエでは絵の具を寝かせて色別又は乱雑に並べて置くことが多くなっている。しかるに、絵画教室や屋外の写生に行く時にはこれらの絵の具類を収納箱に乱雑に入れて持ち運ぶものであって、収納箱には絵の具類が結果的に２乃至３段に重ね合った混沌とした状態で他の絵の具類と雑多に置かれている場合も稀ではない。
これらの状態で絵を描く際には、絵の具を選ぶのにその所在が判らずに手間が掛かって煩わしいばかりでなく、絵の具のチューブからはみ出した色が他の絵の具のチューブや指、他の道具乃至衣類に付着してしまう等の障害も発生していた。特に屋外での写生の場合には、時間的に制約される時や雨・風が吹く場合もあって折角の絵心に水を差すことにも成りかねない状況にもなっていた。
【０００３】
これまでも、絵を描く際に用いる絵の具類の取り扱いにおいて、多くの絵の具類を簡潔に整理、整頓することで例え、絵の具類入チューブの表面が封入されている絵の具類と異なる色彩である他の絵の具類によって部分的に汚染されている場合であっても、希望する絵の具類入チューブを容易に選択しながら出し入れ出来るようにした絵の具類入チューブの収納箱は提案されていた。（特許文献１）
【０００４】
しかしながら、上記の状況を解決するためには、単に絵の具類を簡潔に整理、整頓するだけでなく絵の具のチューブを色の識別が容易になるように整理して置きながら、さらに色の識別や出し入れを容易に整理した絵の具や他の絵の道具類の収納を持ち運びが簡単に成るようにコンパクトにすることが解決して欲しい懸案事項になっていた。
【特許文献１】実願２００７−００２８９４号
【考案の開示】
【考案が解決しようとする課題】
【０００５】
本考案は、絵の具類入チューブを縦状に上方から収納可能に構成された仕切板とパレットを縦状に収納できるパレット仕切板を内部に設けると共に他の絵の道具類の収納部を個別に構成することで絵の道具類の持ち運びと簡潔な取り扱いが容易に成るように絵の道具類がコンパクトに整理、整頓される絵の具箱の提供を目的にしている。
【課題を解決するための手段】
【０００６】
本考案による絵の具箱は、内部に封入された絵の具類の色彩を表面に表示して成る絵の具類入チューブを縦状に収納可能に構成する複数の絵の具類入チューブ仕切板を箱内の一長片面側に設けて絵の具類入チューブの収納部を形成すると共に、箱内の反対の長片面側にパレットを縦長方向に収納可能な構成のパレット仕切板を設けてパレットの収納部を形成して、両仕切板の間に他の絵の道具類を収納可能な空隙を設けて絵の道具類の収納部を形成することで所望の絵の具類入チューブとパレット及び他の絵の道具類を箱の上部から出し入れ可能に構成している。
【０００７】
本考案による他の絵の具箱は、上記絵の具箱において、絵の具類入チューブの収納部を構成している絵の具類入チューブ仕切版を内部に封入された絵の具類の封入量が異なる複数の絵の具類入チューブ群を収納可能に異形に構成することを特徴としている。
【０００８】
本考案による他の絵の具箱は、上記の各絵の具箱において、絵の具類入チューブの収納部を構成している絵の具類入チューブ仕切版を透明に構成することを特徴としている。
【０００９】
又、本考案による他の絵の具箱は、上記の各絵の具箱において、絵の具類入チューブの収納部を構成している絵の具類入チューブ仕切版を絵の具類入チューブの表面に表示されている内部に封入された絵の具類の色彩の位置より低く構成することを特徴としている。
【００１０】
更に、本考案による他の絵の具箱は、上記の各絵の具箱において、パレットの収納部を構成しているパレット仕切板を箱から取り外し可能に構成することを特徴としている。
【考案の効果】
【００１１】
本考案による絵の具箱は、絵の具類入チューブを縦状に上方から収納可能に構成された複数の仕切板を内部に設けると共にパレットを縦長方向に収納可能な構成のパレット仕切板を設けて他の絵の道具類の収納部を個別に構成することで絵の道具類の持ち運びと簡潔な取り扱いが容易に成るように絵の道具類をコンパクトに整理、整頓できる効果も奏している。
【考案を実施するための最良の形態】
【００１２】
本考案による絵の具箱は、基本的に内部に封入された絵の具類の色彩を表面に表示して成る絵の具類入チューブを縦状に収納可能に構成する複数の絵の具類入チューブ仕切板を箱内の一長片面側に設けて絵の具類入チューブの収納部を形成すると共に、箱内の反対の長片面側にパレットを縦長方向に収納可能に構成するパレット仕切板を設けてパレットの収納部を形成して、両仕切板の間に他の絵の道具類を収納可能な空隙を設けて絵の道具類の収納部を形成することで所望の絵の具類入チューブとパレット及び他の絵の道具類を箱の上部から出し入れ可能に構成しており、他にも各種の変化を成している。
【実施例１】
【００１３】
本考案による絵の具箱の概要は、図1、2で示すようにコンパクトに形成されているので、絵の具箱の全体像をこれらの図面に基づいて説明する。
本考案による絵の具箱１は、図1に示すように絵の具箱本体2を蓋3で閉鎖した後に蓋の両側に設けられている留め具4によって蓋３が開かないように堅固に止められている。又、絵の具箱１は、肩掛け紐５の肩掛けもしくは手でのぶら提げによって容易に持ち運びが出来るように成っており、肩掛け紐５をベルト6とその両端に取り外し可能に構成されたバックル7とで構成することによって肩から提げる際の長さを適宜に調整できるようになっている。
【００１４】
絵の具箱本体2の内部は、図2に示すように内部に封入された絵の具類の色彩を表面に表示して成る絵の具類入チューブ８を縦状に収納可能に構成する複数の絵の具類入チューブ仕切板９を箱内の一長片面側１０に設けて絵の具類入チューブの収納部１１を形成している。又、絵の具箱本体2内の反対の長片面側１２には図示していないパレットを縦長方向に収納可能に構成するパレット仕切板１３を設けてパレット収納部１４を形成しており、両長片面１０、12に形成されている絵の具類入チューブの収納部１１とパレット収納部１４との間に形成される中央部分には、特に図示していないが筆、ペインテイングナイフ、パレットナイフ、油壺及び布等の他の絵の道具を収納する空間１５を形成している。尚、この空間１５には状況によっては上っ張りさえも入れる場合も想定されるものである。
【００１５】
本考案による絵の具箱の概要は以上の通りであるが、絵の具箱本体2の内部における絵の具類入チューブの収納部１１、パレット収納部１４及び他の絵の道具を収納する空間１５の詳細については、以下の絵の具箱本体2の平面図３及び図３のａ−ａ矢視図４に基づいて詳細に説明する。
絵の具箱本体2は、図３で図示のように持ち運びに便利な形状の縦長角状であれば良く、その外観は透明、半透明であれば良好であるが、不透明であっても機能上は問題が無いので見かけ状からの選択になっている。
絵の具箱本体2の内部は、大きく分けて絵の具類入チューブの収納部１１とパレット収納部１４を主要部にして筆、ペインテイングナイフ、パレットナイフ、油壺等から構成される他の絵の道具を収納できる空間１５から構成されている。
【００１６】
絵の具類入チューブの収納部１１は、絵の具箱本体２内の一長片面側１０の側に設けられており、油絵の具、アクリル絵の具、アキーラ絵の具及び水彩絵の具等の各種絵の具類を内部に詰めている２０ｍｌ乃至５０ｍｌの絵の具類入チューブ４０本程度を上から縦方向に挿入出来るように区画された複数の仕切板１６によって構成されている。
この絵の具類入チューブの区画部１７は、全てを均一に整理して設ける場合と図示のように一部分を白色絵の具類から成る大柄な絵の具類入チューブが挿入できる拡大区画部１８として混合させる場合がある。仕切板１６の材質は、木材であっても透明なプラスチック材であっても任意であり、仕切板１６の底面からの高さは、絵の具類入チューブの内部に封入された絵の具類の色彩を示すチューブ表面の記号が見ることの出来る高さであれば良い。そして、仕切板１６の高さは仕切板を透明な材質で構成した場合にはチューブ表面の記号が仕切板を透かして確認することも可能になることから必ずしもチューブ表面の記号が見られる寸法である必要が無いものである。又、仕切板１６の高さをチューブ表面の記号以上にして仕切板１６の上面に絵の具類入チューブの封入された絵の具類を表示する符号を記載することによっても構成できる余地もある。
【００１７】
パレット収納部１４は、絵の具類入チューブの収納部１１が設けられている絵の具箱本体２内の一長片面側１０の反対側を構成する長片面側１２の側面に設けられており、長片面側１２の側面からパレットが縦方向に容易に収納可能な間隙１９を確保できる距離を保ってパレットの仕切板２０を配置することによって構成されている。
パレット収納部１４のパレットの仕切板２０は、絵の具箱本体２内の両長片面側１０、１２の両端を封鎖している短片面側２１、２１側に固定されたＬ型の支持部片２２によってその位置を確立されている。パレットの仕切板２０は、支持部片２２から簡単に分離可能な構造に形成されており、パレット収納部１４に収納されたパレットに付着した儘に残っている絵の具類によって汚された際には絵の具箱本体２内から取り外して汚染している絵の具類を布等によって綺麗に拭き取ってから絵の具箱本体２内に戻せるようにしてある。
【００１８】
他の絵の道具を収納できる空間１５は、絵の具箱本体２内の両長片面側１０、１２側に夫々に設けられた絵の具類入チューブの収納部１１とパレット収納部１４との間に形成される間隙部分に構成されており、上述した各種の絵の具類入チューブやパレット以外の筆、ペインテイングナイフ、パレットナイフ、油壺、布等から構成されるその他の絵の道具類を納めて置けるように絵の具箱本体２内の両長片面側１０、１２の両端を封鎖している短片面側２１、２１の長さを調整することによって必要な空隙を確保している。
【００１９】
図４は、絵の具箱本体2を示す平面図３をａ−ａ矢視した絵の具箱本体2の縦断面図であって、絵の具箱本体２内の配列状態を縦の方向から表現している。
図示のように、絵の具類入チューブの収納部１１は、高さの異なる複数の仕切板１６から構成されており、絵の具類入チューブの区画部１７は、多数の均一な封入量から成る絵の具類入チューブの区画であって大柄な絵の具類入チューブが挿入できる拡大区画部１８の区画と仕切板の高さも異ならして構成されている。
従って、絵の具類入チューブの収納部１１は絵の具箱本体2の斜め上方から眺められるものであることから、上述した絵の具類入チューブの内部に封入された絵の具類の色彩を示すチューブ表面の記号を確認することに関してもこれらの点を考慮しながら仕切板１６の材質や底面からの高さを任意に構成できるものである。
又、パレット収納部１４の仕切板２０は、絵の具箱本体２内の一方の長片面側１２の側面からパレットを簡単に収納できる間隙１９を確保して配置されており、絵の具箱本体２の短片面側２１に固定されたＬ型の支持部片２２によってその位置を確立されている。Ｌ型の支持部片２２は、パレットの仕切板２０を全面的に支持するために絵の具箱本体２内の底部から上方の開放端近くまで延長した長さに形成されて短片面側２１と任意の手段によって強固に結合されている。パレットの仕切板２０は、図示のように支持部片２２から容易に分離出来るのでパレットに付着した絵の具類で汚された場合には取り外して完全に拭き取ってから容易に絵の具箱本体２内の元の場所に戻せるものである。
更に、他の絵の道具を収納できる空間１５は、絵の具箱本体２内の両長片面側１０、１２側に夫々に設けられた絵の具類入チューブの収納部１１とパレット収納部１４との間及び絵の具箱本体２内の両長片面側１０、１２の両端を封鎖している短片面側２１、２１で形成される間隙部分に加えて図示のように絵の具箱本体２内の深さで規制されている大きな空隙から構成されている。
従って、空間１５には絵を書く際に必要になる各種の絵の具類入チューブやパレットを除いた多くの筆、ペインテイングナイフ、パレットナイフ、油壺、布等を納めて置ける空隙として確保されている。
【００２０】
以上のように、本考案による基本的絵の具箱は、上記構成の通り絵の具類入チューブを縦状に上方から収納可能に構成された絵の具類入チューブの収納部とパレットを縦長に収納できるパレット収納部及び他の絵の道具類の収納部を個別に構成することによって絵の道具類がコンパクトに整理、整頓できるので、カンバス、イーゼルとこの絵の具箱を持ち運ぶことで絵の教室や屋外の写生に出掛けられる効果を奏している。又、本考案による絵の具箱は、上記の基本的絵の具箱の他に縷々述べた構成の変更によって基本的絵の具箱に加えて各種の絵の具箱を構成することが可能である。
【産業上の利用可能性】
【００２１】
本考案は、絵の具類入チューブを縦状に上方から収納可能に構成された仕切板とパレットを縦長に収納できるパレット仕切板を内部に設けると共に他の絵の道具類の収納部を個別に構成することで絵の道具類の持ち運びと簡潔な取り扱いが容易に成るように絵の道具類がコンパクトに整理、整頓される絵の具箱を提供している。
【図面の簡単な説明】
【００２２】
【図１】本考案による絵の具箱の斜視図
【図２】本考案による絵の具箱の内部を示す斜視図
【図３】本考案による絵の具箱本体の平面図
【図４】本考案による絵の具箱本体の縦断面図
【符号の説明】
【００２３】
１…絵の具箱、２…絵の具箱本体、３…蓋、４…留め具、５…肩掛け紐、６…ベルト、７…バックル、８…絵の具類入チューブ、９…絵の具類入チューブ仕切板、１０…一長片面側、１１…絵の具類入チューブの収納部、１２…反対の長片面側、１３…パレット仕切板、１４…パレット収納部、１５…空間、１６…仕切板、１７…絵の具類入チューブの区画部、１８拡大区画部、１９…間隙、２０…パレットの仕切板、２１…短片面側、２２…支持部品
【図１】
0003139141.tif 000003
【図２】
0003139141.tif 000004
【図３】
0003139141.tif 000005
【図４】
0003139141.tif 000006